(57)【特許請求の範囲】
【請求項１】
患者の身体の血管内に血管内フィルタを導入するための搬送装置であって、
管腔を規定する環状壁を有するシースと、
前記管腔内に位置決めされる血管内フィルタとを備え、前記血管内フィルタは、前記身体の血管内に二段階配備されるように協働的に配置された複数のプライマリストラットと複数のセカンダリストラットとを有し、前記セカンダリストラットは先に配備されるように構成および配置され、前記プライマリストラットは後に配備されるように構成および配置され、前記搬送装置はさらに、
前記管腔内に位置決めされる搬送デバイスを備え、前記プライマリストラットの各々は、共通のハブに固定される一端と、前記血管内フィルタの前記二段階配備のために前記搬送デバイス内に捕捉される反対側の自由端とを有し、前記セカンダリストラットの各々は、前記共通のハブに固定される一端と、反対側の自由端とを有し、前記搬送装置はさらに、
前記シースに受け入れられ、前記血管内フィルタのアプリケーション側に位置決めされる超音波トランスデューサを備え、前記血管内フィルタの前記身体の血管への導入は、前記血管内フィルタの配備の第２段階として前記プライマリストラットの前記自由端を前記搬送デバイス内から解放することを含み、
前記超音波トランスデューサは、前記血管内フィルタの配備と同時に使用される、搬送装置。
【請求項２】
前記管腔を通って延び、アプリケーション側端部を含むガイドワイヤカニューレを含む、請求項１に記載の搬送装置。
【請求項３】
前記搬送装置のアプリケーション側端部に位置する拡張器を含む、請求項１に記載の搬送装置。
【請求項４】
前記超音波トランスデューサは、３Ｄスキャン機能を提供するために構成され、配置される、請求項１に記載の搬送装置。
【請求項５】
患者の身体の血管内に血管内フィルタを導入するための搬送装置であって、前記搬送装置は、
管腔を規定する環状壁を有するシースと、
前記管腔内に位置決めされる血管内フィルタとを備え、前記血管内フィルタは、前記身体の血管内に二段階配備されるように協働的に配置された複数のプライマリストラットと複数のセカンダリストラットとを有し、前記セカンダリストラットは先に配備されるように構成および配置され、前記プライマリストラットは後に配備されるように構成および配置され、前記搬送装置はさらに、
前記管腔内に位置決めされる搬送デバイスを備え、前記プライマリストラットの各々は、共通のハブに固定される一端と、前記血管内フィルタの前記二段階配備のために前記搬送デバイス内に捕捉される反対側の自由端とを有し、前記セカンダリストラットの各々は、前記共通のハブに固定される一端と、反対側の自由端とを有し、前記セカンダリストラットは前記搬送デバイス内に保持されておらず、前記搬送装置はさらに、
前記シースに受け入れられ、前記血管内フィルタのアプリケーション側に位置決めされる超音波トランスデューサを備え、前記血管内フィルタの前記身体の血管への導入は、前記血管内フィルタの配備の第２段階として前記プライマリストラットの前記自由端を前記搬送デバイス内から解放することを含み、前記超音波トランスデューサは、前記血管内フィルタの配備と同時に使用され、前記搬送装置はさらに、
前記管腔を通って延び、アプリケーション側端部を含むガイドワイヤカニューレと、
前記搬送装置のアプリケーション側端部に位置する拡張器とを備え、前記拡張器は前記ガイドワイヤカニューレのアプリケーション側端部を受ける、搬送装置。
【請求項６】
前記プライマリストラットは前記搬送デバイス内に押し込まれ保持される、請求項５に記載の搬送装置。
【請求項７】
前記血管内フィルタは、取り外しフックとをさらに含む、請求項５に記載の搬送装置。
【請求項８】
前記取り外しフックは、前記ハブのアプリケーション側面を越えて延びるように構成され配置される、請求項７に記載の搬送装置。
【請求項９】
前記ハブは前記ガイドワイヤカニューレの傾斜部に隣接する、請求項５に記載の搬送装置。
【請求項１０】
前記超音波トランスデューサの制御側部は、前記シースの管腔内に初期的に受けられる、請求項５に記載の搬送装置。
【請求項１１】
前記ガイドワイヤカニューレは、アプリケーション側部と、制御側部と、前記アプリケーション側部と前記制御側部との間に配置される傾斜部とを含む、請求項５に記載の搬送装置。
【請求項１２】
前記シースは、前記超音波トランスデューサと独立して制御側方向に移動可能に構成され配置される、請求項５に記載の搬送装置。
【請求項１３】
前記血管内フィルタは、前記超音波トランスデューサと独立してアプリケーション側方向に移動可能に構成され配置される、請求項５に記載の搬送装置。
【請求項１４】
前記シースと前記血管内フィルタとは、前記シースの回転が前記血管内フィルタの回転を引き起こすよう、それぞれ協働して構成され配置される、請求項５に記載の搬送装置。
【請求項１５】
患者の下大静脈（ＩＶＣ）内ＩＶＣフィルタの配置のための搬送装置であって、前記搬送装置は
管腔を規定する環状壁を有するシースと、
前記管腔内に位置決めされるＩＶＣフィルタとを備え、前記ＩＶＣフィルタは、前記ＩＶＣ内に二段階配備されるように協働的に配置された複数のプライマリストラットと複数のセカンダリストラットとを有し、前記セカンダリストラットは先に配備されるように構成および配置され、前記プライマリストラットは後に配備されるように構成および配置され、前記搬送装置はさらに、
前記管腔内に位置決めされる搬送デバイスを備え、前記プライマリストラットの各々は、共通のハブに固定される一端と、前記ＩＶＣフィルタの前記二段階配備のために前記搬送デバイス内に捕捉される反対側の自由端とを有し、前記セカンダリストラットの各々は、前記共通のハブに固定される一端と、反対側の自由端とを有し、前記搬送デバイスはアプリケーション側端部を有し、前記搬送装置はさらに、
前記シースに受け入れられ、前記ＩＶＣフィルタのアプリケーション側に位置決めされるＩＶＵＳトランスデューサを備え、前記ＩＶＣフィルタの前記ＩＶＣへの導入は、前記ＩＶＣフィルタの配備の第２段階として前記自由端を前記搬送デバイス内から解放することを含み、前記ＩＶＣフィルタの前記複数のプライマリストラットおよびセカンダリストラットは、前記搬送デバイスの前記アプリケーション側端部と前記ＩＶＵＳトランスデューサとの間に位置決めされ、前記ＩＶＵＳトランスデューサは、前記ＩＶＣフィルタの配備と同時に使用され、前記搬送装置はさらに、
前記管腔を通って延び、前記ＩＶＵＳトランスデューサのアプリケーション側で終端するガイドワイヤカニューレと、
前記ガイドワイヤカニューレに組み付けられる拡張器と、を備え、前記ＩＶＵＳトランスデューサは前記拡張器と前記ＩＶＣフィルタとの間に配置される、搬送装置。
【請求項１６】
前記ＩＶＣフィルタは、複数のストラットと除去フックとを含む、請求項１５に記載の搬送装置。
【請求項１７】
前記ガイドワイヤカニューレは、アプリケーション側部と、制御側部と、前記アプリケーション側部と前記制御側部との間に位置する傾斜部と、を含む、請求項１５に記載の搬送装置。
【請求項１８】
前記ＩＶＣフィルタは、前記ＩＶＵＳトランスデューサと独立して移動可能に構成され配置される、請求項１５に記載の搬送装置。
【請求項１９】
前記シースと前記ＩＶＣフィルタとは、前記シースの回転が前記ＩＶＣフィルタを回転させるように、それぞれ協働的に構成され配置される、請求項１５に記載の搬送装置。
【請求項２０】
シースと、複数のプライマリストラットおよび複数のセカンダリストラットを含む血管内フィルタと、前記血管内フィルタの配備のための搬送デバイスと、前記シースに受け入れられた超音波トランスデューサと、ガイドワイヤカニューレと、拡張器とを含む搬送装置を用いて患者（ヒトを除く）の体内の血管内に血管内フィルタを導入する方法であって、前記プライマリストラットの各々は、共通のハブに固定される一端と、前記搬送デバイス内に捕捉される反対側の自由端とを有し、前記セカンダリストラットの各々は、前記共通のハブに固定される一端と、反対側の自由端とを有し、前記超音波トランスデューサは撮像面を有し、前記方法は、
前記搬送装置を提供するステップと、
前記搬送装置を患者の身体の血管内に挿入するステップと、
前記撮像面が患者内の選択した場所と一致するように前記搬送装置を位置決めするステップと、
前記血管内フィルタの配備と同時に前記超音波トランスデューサを使用するステップと、
前記セカンダリストラットを先に配備し、続いて前記プライマリストラットの前記自由端を前記搬送デバイス内から解放して配備することによって前記血管内フィルタを二段階で配備するステップと、
前記搬送装置を前記身体の血管内に残される前記血管内フィルタなしに引き抜くステップと、を含む方法。
【請求項２１】
前記血管内フィルタは除去フックを含み、前記撮像面に前記除去フックを位置決めする操作ステップを含む、請求項２０に記載の方法。
【請求項２２】
前記血管内フィルタが所望の配向を達成するために、前記血管内フィルタを配向させるため前記シースを回転させるステップを含む、請求項２０に記載の方法。
【請求項２３】
前記超音波トランスデューサが引き抜かれる際に前記血管内フィルタの配置を撮像するステップを含む、請求項２０に記載の方法。
【発明の詳細な説明】
【技術分野】
【０００１】
関連出願への相互参照
本出願は、参照により本明細書に組み込まれる２０１２年１２月１９日出願の米国仮出願第６１／７３９０７０の利益を主張する。
【背景技術】
【０００２】
背景
血管内フィルタの搬送に使用するための装置が開示される。また、血管内フィルタの搬送に開示された装置を使用する方法が開示される。
【０００３】
血管内のフィルタは、塞栓を捕捉するための循環系での使用のために構成され、配置される。本明細書で使用する「塞栓」という用語は、血流を通って移動し、血管に詰まると、血管を通ずる流れのある程度の閉塞を生み得るような構造、形状を有するものをいう。塞栓の例には、分離された血栓、血液凝固の大きな断片、細菌の塊、狭窄物質、より一般的に障害物を作成するリスクをもたらす可能性のあるものを含む。血栓が静脈の壁から除去され、肺に移動して肺動脈の血流をブロックすると肺塞栓症が発生する。このような血栓は、病気、けが、術後によって固定された患者に可能性が高くなる。肺塞栓症は、重症患者の傷害または死を引き起こす可能性があるので、本明細書に記載の種類の血管内のフィルタが必要とされている。具体的には、安全かつ有効な下大静脈（ＩＶＣ）フィルタを持つ必要がある。
【０００４】
ＩＶＣフィルタのような血管内フィルタの設計の焦点は、心臓および肺に到達するのを防止するように、これらの塞栓を捕捉することが可能な構造を提供することにある。安全で有効な治療を得るために、血管内フィルタの設計および構成だけでなく、搬送装置の設計および構成が重要ある。血管内フィルタの配置および位置決めのための搬送装置の使用方法も重要である。
【０００５】
開示された装置および方法の具体的な焦点は、図示および説明した実施形態で例示されるように、下大静脈（ＩＶＣ）に血管内フィルタを搬送することに向けられている。ＩＶＣは、下半身から心臓に血を返す腹部内の大静脈である。このように、ＩＶＣは、除去された血栓や脚や骨盤の静脈に発症し得る血栓の大きな断片のような塞栓を補足し、トラップし、保持するための血管内フィルタの好ましい位置を表す。脚や骨盤の静脈に発症する血栓は、深部静脈血栓症（ＤＶＴ）と呼ばれる状態であり、時折破壊して血栓の大きな断片が心臓や肺に移動し得る。心臓および肺への流路は、ＩＶＣを通る通路を含む。これは、本明細書に開示されるＩＶＣフィルタのような血管内フィルタのキャプチャのための配置および位置決めのためＩＶＣを適切な場所にする。
【０００６】
先行技術は、恒久的に取り付けられている装置として構成して配置されたＩＶＣフィルターが含まれている。しかし、代わりにＩＶＣフィルターを残すことに関連する長期的なリスクが生じる可能性もある。そのため、より最近の設計努力は、仮置きとその後の回収および除去のためのＩＶＣフィルタの設計と設計に向けられている。離脱した血栓（血栓または塞栓または他の大きな断片）などの移動する塞栓の危険が経過したときに、患者からＩＶＣフィルタの除去を行ってもよい。心臓や肺に到達する移動する塞栓のリスクが軽減されると、ＩＶＣフィルタの除去を考慮することができる。
【０００７】
定置された、移植された、または患者に何らかの形で搬送されている任意の装置または器具と同様に、搬送を容易にすることが重要である。装置の適切な配置および位置決めを確実にすることができることも重要である。特定の装置では、装置の初期の位置決めが許容パラメータの範囲内でない場合、装置が取得され、除去される必要があり、手順が繰り返される。そのため、装置のためのガイダンスの方法と、手順の信頼性と、手順の再現性とは重要な態様である。ある時点で患者から除去されるべきいずれの装置または器具でも、回収および除去を可能にし容易にするような装置の設計を持つことが重要である。
【０００８】
搬送プロセスの別の態様は、実行可能な方法および手順を実行するために必要な環境である。先行技術の手順は、現在、透視下で行われる。経皮搬送セットと蛍光透視スイート（特別室）は、従来技術の手順を実行するために必要とされる。また、蛍光透視スイートに対する患者の輸送が必要とされ、特に、外傷患者のために、困難で時間がかかる可能性がある。本発明による手順は、代わりに視覚的なガイダンスのために血管内超音波（ＩＶＵＳ）トランスデューサを使用している。重要なことは、本発明によれば、超音波の全体手順は、ＩＶＣフィルタが実質的に完全に定置されるまでＩＶＵＳトランスデューサを除去することなく、実行可能であることである。静脈からのＩＶＵＳトランスデューサの除去は、ＩＶＣフィルタの最終的な位置決めおよび定置を確認することを、臨床医を可能にする。これは、拡張、シースの配置、フィルタ搬送および配置の確認の際により安全な手順によって行うことができることを意味する。臨床医は、超音波イメージングに基づいて何が起こっているのかを「見る」ことができるので、さらなる利点として、臨床医は、手順においてより高い信頼性を有する。記載のＩＶＵＳの手順は、ベッドサイドで行うことができ、コストを削減し、安全性を向上させる。
【発明の概要】
【課題を解決するための手段】
【０００９】
概要
患者の身体の血管内に血管内フィルタを導入するための搬送装置は管腔を規定するシースと、管腔内に配置された血管内フィルタと、血管内フィルタのアプリケーション側に位置する超音波トランスデューサと、ガイドワイヤーカニューレと、ガイドワイヤカニューレの端部に隣接する搬送装置のアプリケーション端に位置する先端と、を含む。
【００１０】
患者の下大静脈内にＩＶＣフィルターを配置するための搬送装置であって、搬送装置は、管腔を規定するシースと、管腔内に配置されたＩＶＣフィルタと、ＩＶＣフィルタのアプリケーション側に配置されたＩＶＵＳトランスデューサと、ガイドワイヤカニューレに組み付けられたガイドワイヤカニューレと拡張器とを含み、ＩＶＵＳトランスデューサは拡張器およびＩＶＣフィルタの間に位置決めされる。
【００１１】
本明細書に開示された搬送装置を用いて患者の体内の血管内に血管内フィルタを導入する方法は、適切な搬送装置を提供するステップと、患者の身体の血管内にその搬送装置を挿入するステップと、超音波トランスデューサの撮像面内で搬送装置を位置決めするステップと、トランスデューサの撮像面へ血管内フィルタの一部を移動させるように搬送装置を操作するステップと、身体の血管内に残る血管内フィルタなしに搬送装置を引き抜くステップと、を含む。
【図面の簡単な説明】
【００１２】
【図１】本開示による血管内フィルタのための搬送装置の部分断面における概略図および側面図である。
【図２】図１の搬送装置の要素の１つを含む拡張器の完全断面における側面図である。
【図２Ａ】図２の拡張器の完全な形態における端面図である。
【図３】図１の搬送装置の構成要素のうちの１つを含む、超音波トランスデューサの断片的な側面図である。
【図３Ａ】図３の超音波トランスデューサの端面図である。
【図４】図１の搬送装置の構成要素のうちの１つを含む、ガイドワイヤカニューレの側面図である。
【図４Ａ】図４のガイドワイヤカニューレの端面図である。
【図５】図１の搬送装置の要素の１つを含む外側シースを含む完全断面における側面図である。
【図５Ａ】図５の外部シースの完全な形態における端面図である。
【図６】図１の搬送装置および図１の搬送装置により搬送される、開始要素の１つを含む血管内フィルタの概略斜視図である。
【図７】図１の搬送装置の使用に関連する定置ステップの１つの概略図である。
【図８】図１の搬送装置の使用に関連する定置ステップの別の概略図である。
【図９】図１の搬送装置の使用に関連する定置ステップの別の概略図である。
【図１０】図１の搬送装置の使用に関連する定置ステップの別の概略図である。
【図１１】本開示による代替のトランスデューサ先端とワイヤガイド装置の部分的な概略側面図である。
【図１２】本開示による代替のトランスデューサ先端とワイヤガイド装置の部分的な概略側面図である。
【図１３】本開示による代替のトランスデューサ先端の構成の、部分的な概略図および側面図である。
【発明を実施するための形態】
【００１３】
選択された実施形態の説明
本発明の原理の理解を促進する目的で、図面を参照して図示された実施形態について説明し、特定の用語が等価物を記述するために使用される。しかし、本発明の範囲を限定することを意図されないことが理解されるであろう。実施の形態における任意の変更およびさらなる修正および、本明細書に記載される本発明の原理のさらなる応用は、本発明に関係する当業者にとって通常起こるであろうものとして考えられる。本発明の一実施形態が詳細に示されるが、当業者には明らかであるように、本発明に関連しないいくつかの特徴は、明確さのために示されない場合がある。
【００１４】
図１を参照して、血管内フィルタ２２のための搬送装置２０が示されている。例示的な実施形態では、フィルタ２２は、下大静脈（ＩＶＣ）２３おけるその配置によって規定されるようなＩＶＣフィルタである。ＩＶＣフィルタ２２は初期的に搬送装置２０内にパッケージ化され、および本明細書で使用されるように、搬送装置２０は、ＩＶＣ２３に供給されるＩＶＣフィルタ２２を含むものとして規定される。しかしながら、これは搬送装置であるので、搬送される部品はＩＶＣフィルタ２２と理解されるべきである。患者に一旦配備されて適切に位置決めされると（すなわち、定置されると）、搬送装置２０は、ＩＶＣフィルタ２２なしに患者から除去される。向きの理解と搬送装置２０の相対的な位置決めおよび大きさの見方を支援するためＩＶＣ２３の断面は、図１に示されている。ＩＶＣフィルタ２２に加えて、搬送装置２０は、外側シース２４と、ガイドワイヤカニューレ２６と、超音波トランスデューサ２８と、例示的な実施形態では拡張器３０である先端部と、を含んでいる。図１に示すように、文字Ａは、本明細書で言及されるようにアプリケーション側、端または方向を表し、文字Ｃは、本明細書で言及されるように制御側、端または方向を示す。
【００１５】
搬送装置２０の端部および構成部品の端部または側の向きと、動作または走行の方向の観点から、「アプリケーション側」（Ａ）と「制御側」（Ｃ）の規則が採用され、本明細書中で使用される。これらの表現が示すように、装置２０のまたは任意の部品のいずれかのアプリケーション側は、任意の治療、装置の配置などが発生する場所の方向またはより近くにある側または端部である。同様に、制御側は、医師が位置する場所の方向またはより近くにある装置２０または任意の構成部品のいずれかの側または端部であり、制御機能またはアクションが実行される場所を表す。
【００１６】
「近位」および「遠位」を使用した場合、基準の異なるフレームが存在し得るので、この採択の理由の１つは、明確さを追加するためである。医療分野では、「近位」は、典型的には、心臓により近いことを意味するが、これは、患者へのカテーテルなどの装置のエントリのポイントに基づいて変更し得る。論理的には、医療分野では、「遠位」は、典型的には、心臓から遠いことを意味する。他の分野では、「近位」は、典型的には、オペレータまたはユーザに近いことを意味し、「遠位」は、典型的には、オペレータまたはユーザから遠いことを意味する。「アプリケーション側」と「制御側」の規則を採用することにより、任意の近位と遠位あいまいさが排除されるべきである。
【００１７】
搬送装置２０の一部であるさらなる部品は、フィルタ搬送装置２５と、制御ワイヤ２７と、カテーテル２９とを含む。典型的な実施形態では、カテーテル２９は３つの（３）管腔カテーテルである。１つの管腔はガイドワイヤカニューレ２６を受け、別の管腔は、超音波トランスデューサ２８に接続するワイヤのために使用される。フィルタ２２およびフィルタ搬送装置２５は、カテーテル２９専用の管腔の内部にはない。カテーテル２９は搬送装置２５の制御側端より短く、フィルタ２２と搬送装置２５は、シース管腔６２の内側に位置する。明瞭に描画する目的のため、超音波トランスデューサに接続配線は、図示されていない。搬送装置２５は、ＩＶＣフィルタ２２の初期配備と位置決めの一部として初期に４つ（４）の長ストラット６９を補足する。
【００１８】
搬送装置２０は、ガイドワイヤカニューレ２６を通って延びているワイヤガイド２１によって、ＩＶＣ２３に導入される。ワイヤガイド２１は、本明細書に記載の搬送手順の間、位置決めされたままであってもよく、または搬送装置２０が図１に示すように正常に配置されると、除去されることができる。ワイヤガイド２１は、搬送装置２０の初期導入において重要であるが、ワイヤガイド２１は、搬送装置２０の適切な除去のために必要ではない。ワイヤガイド２１の前進および位置決めは、既存の技術または方法のいずれかを使用して実行される。ワイヤガイド２１に適した選択肢の中には、強化されたサポートを提供する固定芯ワイヤ、形状記憶と操縦性をを提供する「ニチノール」ワイヤ、低い摩擦係数のための潤滑性コーティングを有する親水性のワイヤを含む。
【００１９】
ＩＶＣフィルタ２２は、塞栓、たとえば、ＩＶＣを通って血流を移動している分離した血栓または血栓のより大きな断片の捕捉において使用するために構成され、配置されている。この用途に適したＩＶＣフィルタの一例は、インディアナ州ブルーミントンのクックメディカルが提供するＣＥＬＥＣＴ（登録商標）大静脈フィルターである。また導入シースと呼ばれる外側シース２４は、管腔６２を規定し形成する管状壁６０で構成され、配置されている。好ましくは、本明細書に開示される使用のために、搬送セットの全体の長さ、すなわち、搬送装置２０は、約６５センチメートルある。「ＦＲ」のスケールを使用してゲージは、約８．５Ｆｒであるか、または外径約２．８３ミリメートルである。ガイドワイヤーカニューレ２６は、ほぼ環状で、横断面がほぼ円形状の管状形状で構成され、配置されている。ガイドワイヤーカニューレ２６とワイヤガイド２１とカテーテル２９との間の関係は、それらのそれぞれのサイズ、形状および材料を含めて、所望の支持および剛性を提供し、適切な許容可能なレベルまでＩＶＣフィルタ２２上の負荷を減少させる。
【００２０】
超音波トランスデューサ２８は、ＩＶＣ２３内ＩＶＣフィルタ２２の配備と位置決めとを視覚化する際に使用するために構成され配置されている超音波トランスデューサ２８の血管内の位置決めおよび使用を考慮し、ＩＶＵＳという略語は、超音波トランスデューサ２８、すなわちＩＶＵＳトランスデューサ２８の省略形として適用可能であり、本明細書で使用される。この略語はまた、ＩＶＣフィルタ２２の配置および位置決めをガイドする方法を参照し説明するために使用される。拡張器３０は、静脈に入る搬送装置２０のの先端としてテーパ端部３２を用いて構成され、配置される。ここでの焦点は、搬送装置２０の導入およびＩＶＣフィルタ２２の定置のための大腿静脈アプローチを使用することにある。
【００２１】
例示的な実施形態では、ＩＶＵＳトランスデューサ２８は、セラミックスリーブに包まれたステンレス鋼の管状コアを含む。セラミックスリーブに巻き付けられているのは、フレキシブルなプリント回路基板である。ＩＶＵＳトランスデューサ「構造」は、複数の素子から構成されたアレイを含む。多素子フェーズのアレイに必要なワイヤの数は、サイズによって定められる。スキャンオプションは、固定トランスデューサを備えたモータ駆動回転トランスデューサ、または代替としてモータ駆動鏡などを含む。サイズの考慮事項により、モータは、患者の外部にあり、回転ケーブルによって、トランスデューサの回転要素またはミラーのいずれかと接続する。代替的に、モータは、マイクロサイズであり、カテーテルのアプリケーション端部に組み込むことができる。
【００２２】
装置２０は血管内装置であるため、その大きさ、形状、材料の選択は、たとえば、静脈内に適合し、移動する必要があるすべての装置および器具と一致している。搬送装置２０の使用方法または方法における重要な検討事項の１つは、正しい位置にＩＶＣフィルタ２２をガイドする方法である。「ガイド」は、搬送装置２０をトラッキングすることおよび定置のための搬送装置２０からＩＶＣフィルタ２２を配備することの両方を伴う。「ガイド」はまた、最終的な配置のチェックを行い、ＩＶＣフィルター２２を位置決めする。ＩＶＣフィルタの「ガイド」の１つのオプションは、透視ガイダンスを使用することである。しかしながら、ＩＶＣフィルタ２２の位置を監視するための血管内超音波（ＩＶＵＳ）を使用することは、必要な設備と実行されるステップの構成の観点とから透視より向上すると考えられる。搬送装置２０の設計および構成は、搬送装置２０に直接ＩＶＵＳトランスデューサ２８を統合することにより、改善されたレベルへのＩＶＵＳトランスデューサ２８の使用を行う。
【００２３】
図２−６を参照して、搬送装置２０の一部である部品の選択された１つがより詳細に示されている。拡張器３０の詳細は、図２および２Ａに示されている。ＩＶＵＳトランスデューサ２８の詳細のいくつかは、図３および３Ａに示されている。ガイドワイヤカニューレ２６の詳細が図４および４Ａに示されている。外側シース２４の詳細は、図５および５Ａに示されている。ＩＶＣフィルタ２２の詳細は、図６に示されている。
【００２４】
図２および図２Ａを参照して、拡張器３０は、制御側端部４０からアプリケーション側端３２へ収束するテーパ状の側壁３８を有するほぼ円錐台の本体３６を含む。本体３６は、ガイドワイヤカニューレ２６を受ける同軸中心ボア４４を規定する。カウンタボア４４ａはボア４４と同軸であり、ＩＶＵＳトランスデューサ２８のアプリケーション側ハブ部を受けるような大きさ、形状とされる。ガイドワイヤカニューレ２６は、ワイヤガイド２１と協働してＩＶＣ２３におけるＩＶＣフィルタ２２の配備のために搬送装置２０の位置決めに使用され、支援される。配備の後の搬送装置２０の（ＩＶＣフィルタなしの）除去は、ワイヤガイド２１の継続的な使用を必要としない。適切にこれらの統合された機能を実行するために、ガイドワイヤカニューレ２６のアプリケーション側端部４８は、確実に中央ボア４４内に固定される。固定の関係は、好ましくは、中央ボア４４およびアプリケーション側端部４８の適合する大きさおよび形状を含む。拡張器３０は、搬送装置２０のアプリケーションの側端部に配置されガイドワイヤカニューレ２６のアプリケーション側の端部を受ける。
【００２５】
図３および３Ａを参照して、ＩＶＵＳトランスデューサ２８は、本体４５およびそのほぼ円筒形の外壁４７によって規定されるほぼ円筒形の形状を有する。アライメントと位置決めのために、第１の同軸のハブ２８ａおよび第２の同軸のハブ２８ｂが含まれる。ハブ２８ａはカウンタボア４４ａ内に収まる。本体４５を通って延びるステンレス鋼コア４１は、ほぼ円筒形、管状の形状を有し、中央ボア４９を規定する。コア４１は、同軸ハブ２８ａおよび２８ｂを提供する。管状コア４１を包むのは、ほぼ円筒状のセラミックスリーブ４３である。フレキシブルなプリント回路基板（図示せず）は、セラミックスリーブ４３の周りに巻かれている。プリント基板面の部品は、追加の保護を提供するために、内側向きである。中心ボア４９は、ガイドワイヤカニューレ２６の一部を通して受け入れるように構成され配置されている。ＩＶＵＳトランスデューサ２８の制御側端部は、管腔６２のアプリケーション側内で初期的に受けられる（図１参照）。
【００２６】
図１〜３Ａはの例示的な実施形態によって表される構成は、ガイドワイヤカニューレ２６と、ガイドワイヤ２１と、ＩＶＵＳトランスデューサ２８と、拡張器３０（すなわち、搬送装置２０の先端）との間の特定の配置および関係を提供する。別の実施形態は、図１１−１３に示されており、これらの各々は、以下により詳細に記載される。加えて、ＩＶＵＳトランスデューサの選択、形式、構成および動作は、例示的な実施形態のために開示されているものから変えることができることに留意されたい。１つの（１）変形例が図１１−１３に開示されているが、さらに、３Ｄスキャン機能が選択されたＩＶＵＳトランスデューサに統合され得ることが企図される。３Ｄスキャン機能は、２つ（２）の異なる機械的軸へとモータ駆動するように構成され配置された単一要素のトランスデューサを含むことができる。この３次元スキャン機能を提供するための別のオプションは、直線アレイトランスデューサーを使用して、回転運動を用いてそれを駆動することである。この３次元スキャン機能を提供するための別のオプションは、完全な２次元の線形アレイを使用することである。このオプションでは行−列アドレス指定スキームは、異なる送信イベントの別の要素にアクセスするために使用される。
【００２７】
図４および図４Ａを参照して、ガイドワイヤカニューレ２６は、中空内部５７を規定する側壁５５を有する環状、管状の形状を有している。中空内部５７の大きさは、０．０３５−０．０４０インチのサイズ範囲内のワイヤガイドを受けて収容する。ガイドワイヤーカニューレ２６は、ほぼ管状の形状を有するものとして説明されているが、ガイドワイヤカニューレ２６は、好ましくは、実質的に均一な側壁の厚さを有するほぼ円筒形の形状を有するであろう。このように、カニューレ２６の全体は、横断面でほぼ円形の形状を持っているだろうし、中空内部５７は、図４Ａを参照して、好ましくは、横断面でほぼ円形の形状を有する。。ガイドワイヤーカニューレ２６は、アプリケーション側端部または先端４８と、制御側部分５０と、傾斜部分５２を規定する離間した２つの屈曲部５１および５３と、を含む。先端部４８は、拡張器３０内に位置し、ＩＶＵＳトランスデューサ２８通って延びているか渡される。部分５０は、カテーテル２９の管腔のの１つを通って延びる断面を表す。２つの屈曲部５１および５３は、オフセット傾斜部５２を作成する。傾斜部５２は、図１に示される初期の位置決めにおいてＩＶＣフィルタ２２のハブ７２に隣接して位置決めされている。このオフセット傾斜部５２は、エッジ位置から実質的に軸上の中心位置への位置合わせのシフトを生む。
【００２８】
図５および５Ａを参照して、外側シース２４は、中空内部または管腔６２を規定する外筒壁６０を有する環状の可撓性スリーブである。外側シース２４の機能と使用とを考慮すると、適切な材料は、ポリエチレンまたは他の半可撓性プラスチックが含まれる。これらの材料は、容易に形成されるか、または、ほぼ円筒形の管またはスリーブの所望の開始形状に押し出すことができる耐久性のあるが柔軟性のある、生体適合性材料を表す。外壁６０の厚さは、選択された材料に部分的に依存するが、一般的に０．０１５−０．０２０インチの範囲である。論理的には、耐久性が低く硬い材料ほど僅かに厚い壁を必要とするであろう。外側シース２４は、半径方向に最も外側のコンポーネントを表しているので、その内部寸法は、拡張器３０とガイドワイヤカニューレ２６のアプリケーション側端部４８とを除く他のコンポーネントを収容するように選択される。同時に、外側管状壁６０の最大サイズは、ＩＶＣ２３内の配置と移動のために制限され、制御されなければならない。外側シース２４は、ＩＶＣフィルタ２２のための定置場所への経皮的エントリを介して患者の外側に延びるのに十分な長さを有していてもよい。このような実施形態ではたとえば、外側シース２４の制御側部または端部、および／またはそれに取り付けられた操作部は、身体の外側にあり、一方、アプリケーション側部分は、ＩＶＣフィルタ２２に隣接しており、初期的にＩＶＵＳトランスデューサ２８の端部の上に延びている。好ましくは、外側シース２４は、統合性を維持し、フィルタの負荷を可能にしながら、血管を通って移動できるよう、血管内カテーテルに用いられる材料といった、半可撓性プラスチックまたは他の材料である。
現在利用可能なシースは血管系におけるシースの配置によって当然に示唆されるように、それらの中に収まるように折り畳まれたフィルタを認めながら、直径が小さくなるように寸法決めされる。
【００２９】
図６を参照して、ＩＶＣフィルタ２２は、複数のバイアスばねのワイヤー脚部または複数の短ストラット６８と複数の長ストラット６９とを含むように構成され配置されているストラット６８および６９を含む。短ストラット６８は、「セカンダリ」と呼ばれる。長ストラット６９は、「プライマリ」と呼ばれる。ストラット６８および６９は、ハブ７２の制御側端部７０に圧着することによりともに確実に固定される。ハブ７２のアプリケーション側端部７４は外方に延びる除去フック７６を含む。除去フック７６は、ハブ７２のアプリケーション側端部７４を越えてアプリケーション側方向に延びる。除去フック７６は、ＩＶＣフィルタ２２の回収および除去のために、その後の手順で使用されるので、除去フック７６が適切に位置決めされ配向されることは、ＩＶＣフィルタ２２のための位置決めのと配置（すなわち定置）の一部として重要である除去フック７６およびストラット６８および６９とが互いに確実に接続することは、ハブ７２にともにに圧着されるか、またはいくつかの他の方法または構造によるかによらず、重要である。ＩＶＣフィルタ２２の回収および除去の際に、フック７６は、回収装置のループによる初期的に係合のために使用されるだろう。フック４８を引っ張ることは、除去手順の一部であり、ハブに力を及ぼして、順にストラット３８および４０に力を及ぼし、このときハブからフックまたはストラットからハブのいずれかで分離しようとする傾向にある。一体に連結し、確実に接合した状態にあることは、回収および除去手順の一部として重要である。
【００３０】
図７−１０、および図１を引き続き参照すると、これらの図は、ＩＶＣ２３内でのＩＶＣフィルタ２２の搬送と、配備と、位置決めと、その最終的な位置決めの超音波画像検証のステップまたは段階に関連する構造的構成を示す。搬送と配備と位置決めとのこれらのフェーズはまとめて「定置」と呼ばれる。搬送方法の開始段階またはステップは図１で表される。この図は、初期的に構成され初期的に患者の体内の位置に移動される搬送装置２０を示す。ＩＶＣ２３の壁は、２対の破線で表されている。ＩＶＵＳトランスデューサ２８は、意図された方法で通電されると、撮像面８４が生成されるように構成され配置されている。ＩＶＣフィルタ２２は、撮像面に対する相対的位置に搬送されることが重要である。これは、医師が正確に自分の専門知識ごとにフィルタの搬送場所を制御することを可能とする。ＩＶＣ内の搬送装置２０の初期的な位置決めのために、例示的な実施形態によれば、撮像面は、患者の下腎静脈にあり、図１中の破線８４によって表される。図面の描画は概略であり、必ずしも一定の縮尺で描かれていないと、理解されるであろう。撮像面８４は、約５センチメートルの半径を包含する。この半径は、静脈−静脈壁と周囲の組織の良好な被覆を提供する。
【００３１】
図７に示すように、搬送方法の他のステップまたは段階は、制御側の方向にわずかに戻って外側シース２４を引っ張るステップを含む。外側シース２４が引き戻されると、開口９０はシース２４のアプリケーション側の端部９２とＩＶＵＳトランスデューサ２８との間に生成される。別の動作は、さらに図７を参照すると、ＩＶＣフィルタ２２の前進させることである。ＩＶＣフィルタ２２は、フィルタ搬送装置２５および制御ワイヤ２７を用いて組み合わせて協働して初期的に前進する。いったん初期的に配備されると、ＩＶＣフィルタ２２の次のステップは、搬送装置外に、つまり外側シース２４の外に前進することである。外側シース２４が後退されるうちに、ストラット６８は拡大され、ＩＶＣフィルタ２２は、ほぼＩＶＣの中心になる。
【００３２】
図７および８に示すように、ＩＶＣフィルタ２２の配備と位置決めに関連して、それが配備されるときに、ＩＶＣフィルタ２２のための好ましい配向を有するために、搬送装置２０を回転させることが望ましい場合がある。このような任意の所望の回転は、ストラット６８が配備される前に発生する必要がある。これらのステップの間に、フィルタ搬送装置２５は、装置２５の内部の小さいボア断面の中にともに効率的に押し込まれているの４つの（４）長いストラット６９を受け、固定する。制御ワイヤは、装置２５の制御側端部を押し込み、次いでくさび形のストラット６９が装置２５によって押し込まれ、それによってＩＶＣフィルタ２２の全体が押し込まれる。ＩＶＣフィルタ２２のアプリケーション側部が前進されながら、それは開口部９０へと進む。開口部９０へとそして外へと通ってＩＶＣフィルタ２２を導くことは、ＩＶＣフィルタ２２の直接的に当接する任意の可能性を軽減し、曲面を提供する可能性を改善することを目的としてＩＶＵＳトランスデューサ２８の制御側端部の形成しまたは丸みを帯びさせることによって、大幅に改善することができる。
【００３３】
一旦除去フック７６が撮像面８４におかれると、ＩＶＵＳトランスデューサ２８によって提供されるガイダンスは、ＩＶＣフィルタ２２の前進を停止するために使用される。以上の説明から理解されるように、外側シース２４は移動可能である。
【００３４】
外側シース２４およびカテーテル２９の回転の後、ＩＶＣフィルタ２２がほぼ中央位置を有しフック７６の所望の配向を有するために、次のステップは、制御側方向に、外側シース２４を引き戻すことであり、ＩＶＣフィルタ２２のセカンダリストラット６８が拡大することを可能にすることである。セカンダリストラット６８がＩＶＣ２３の内部を横切って完全に配備され（図９参照）た状態で、搬送装置２０の残りの部分は引き抜かれ、除去される（図１０参照）。引き抜きの初期段階は、制御側方向へのフィルタ搬送装置２５の動きを生む。例示的な実施形態では、長ストラット６９は、装置２５に接続された解放構成を介して配備されている。カテーテルを単独で後退させるのは十分ではなく、装置２５は特に不注意な早期の配備を防止するように構成されている。ストラット６９は今度は、装置２５内のそのくさび形の保持から装置２５のより広い開口部へ、最終的には装置２５の外に移動する。長ストラット６９は、より大きな長さを有し、外側に延びてＩＶＣ２３の壁に接触する。装置２５からストラット６９の初期的な解放は、図９に示されている。完全な解放およびストラット６８および６９の伸張は、図１０に示される。  
【００３５】
本明細書での搬送装置２０との関連における「残り」という用語の使用は、ＩＶＣフィルタ２２が初期的には搬出装置２０の一部として含まれているが、ＩＶＣフィルタ２２が一旦静脈内に配備（すなわち定置）されると、搬送装置２０の「残り」はＩＶＣフィルタ２２なしであるという事実を指す。ＩＶＵＳの引き戻しのデータセットは、搬送装置の残りの部分が引き抜かれ、除去されながら記録される。記録されたデータセットは、ＩＶＣフィルタ２２の正しい配置を確認する医療記録として役立つ。以上の記載から理解されるように、外側シース２４とＩＶＣフィルタ２２とは、外側シース２４の回転がＩＶＣフィルタ２２を回転させるように各々協働的に構成され配置される
搬送装置２０の一部として含まれてもよい別の機能は、加えシース２４の外表面に印刷された定規を追加することである。シース２４に印刷された定規を追加することは、ＩＶＵＳガイド手順の間困難であり得る手順の間に状況認識を向上させる。（定規の可視化を介しての）奥行き情報もまた、配置を計画および確認するために使用することが可能である。
【００３６】
搬送装置２０の一部として含まれ得るさらに別の機能は、超音波で撮像されたときに、ＩＶＣフィルタ２２の視認性を向上させるために、エコー源性の機能の追加または包含によって、ＩＶＣフィルタ２２の構成を変更することである。
【００３７】
開示された搬送装置の例示的な実施形態が本明細書に記載されていることを認識するために、以下のことを考慮することは、可能な変形及びオプションの完全な理解に役立つであろう。まず、フィルタフック７６が角度的にＩＶＣの中央付近に位置合わせされるように回転するステップを含む搬送手順は任意である。このセンタリングは現在、透視下で行われておらず、ＩＶＵＳガイダンスの下では、オプションである。ストラット６８が拡張されると、フック７６は、自然にＩＶＣの中心に向かって押し出される。ＩＶＣフィルタ２２は、従って、ほとんどの場合自己センタリングである。角度のアライメントステップは、実行される場合、既に小さな可能性である非中心の配備をさらに減らすことが期待される。
【００３８】
また、角度のアライメントステップは、必ずしもフックが図７のようにＩＶＵＳの撮像面内に前進されることを必要としない。同じ機能は、ＩＶＵＳ画像に対してフィルタの向きを示すためにコンソールを製造および構成する間、ＩＶＵＳトランスデューサとフィルタとを整合（アライン）することによって達成することができる。この構成は、ＩＶＵＳトランスデューサ２８とフィルタホルダ２５とが、それらが独立して動くことができるように構成される必要を除く。
【００３９】
さらなる設計バリエーションとして、回転トランスデューサアセンブリを含むことが可能である。このタイプの設計では、トランスデューサは、中空ではないので、ガイドワイヤの管腔は、トランスデューサの中心を通ることができない。従来のトルクケーブルが回転駆動するために使用されている場合は、ガイドワイヤカニューレ２６は、トルクケーブルを収容するために使用される。オンサイトのモータが使用される場合、ガイドワイヤカニューレ２６が中空である必要はなく、機械的支持のみを提供する。回転トランスデューサを収容するために、代替のガイドワイヤの経路が必要とされる。ガイドワイヤは、拡張器の先端のアプリケーション側の端部から突出する固定長の拡張器管腔４４内に恒久的に接着することができる。また、管腔４４は拡張器管腔を出ることができ、拡張器３６側の制御側部に迅速交換型のワイヤガイドシステムを構成する。
【００４０】
搬送装置２０にＩＶＵＳトランスデューサ２８を組み込むことにより、超音波手順の全体は、ＩＶＵＳトランスデューサ２８を取り外すことなく行うことができる。この設計態様は、拡張とシースの配置とフィルタの搬送とＩＶＣフィルタの配置の検証との間に臨床医が超音波イメージングの観点から何が起こっているのか「見る」ことができるので、臨床医は、安全だと感じることができるということを意味する。開示された方法や手順は、潜在的な安全上の問題となる臨床医が「見えない」ことを要とするいずれの手順を有さない。また、患者内にＩＶＵＳトランスデューサ２８が残るので、カテーテルの交換が必要ではない。これは、手続きを大幅に高速化し、簡素化する。ＩＶＣフィルタ２２の前に（すなわちアプリケーション側に）ＩＶＵＳトランスデューサ２８を配置することにより、ＩＶＣフィルタの配置は、ＩＶＣフィルタ２２を介してカテーテルを押し込むことなく行うことができる。そうでなければ、カテーテルはＩＶＣフィルタ頂部で捕捉され、誤ってＩＶＣフィルタを移動させ得るため、これは潜在的な安全上のリスクとなる。搬送装置２０の開示された実施形態によって、ＩＶＣフィルタ２２は、超音波ガイド下で迅速かつ簡単に、安全に搬送することが可能である。このアプローチは、本発明によって具現化されるように、透視ガイダンスされた搬送セットを使用する従来技術の手法の改善であると考えられる。搬送装置２０は、単一のアクセスサイトを介して導入され、除去されることができる。
【００４１】
図１１〜１３を参照して、搬送装置のアプリケーション側端部のための３つの（３）他の実施形態が示される。最初に図１１を参照して、埋め込まれたＩＶＵＳトランスデューサ１０２を含むＩＶＵＳフィルタ搬送装置１００が開示される。この実施形態は、ＩＶＵＳトランスデューサ１０２と「迅速交換」ワイヤガイド１０４と先端１０６との設計オプションを提供する。この実施形態は、ＩＶＵＳトランスデューサ１０２の特定の構成に依存しない。
【００４２】
任意には、ＩＶＵＳトランスデューサは、中空であってもよいし、中空でなくてもないが、後者がＩＶＵＳトランスデューサ１０２として開示される。このため、利用可能であり、搬送装置１００の図示された構造と互換性があるような代替案は、１つの（１）オプションとして、トルクケーブル駆動トランスデューサの使用を含む。その他のオプションは、様々な構成のオンサイトのモータ回転トランスデューサ、アレイトランスデューサ、３Ｄトランスデューサの使用を含む。
【００４３】
搬送装置は、ＩＶＵＳフィルタ２２と機械的支持１０８とを含み、機械的支持１０８は、先端１０６およびトランスデューサ１０２が配置されるカテーテル１１０のアプリケーション側または端部と、ＩＶＵＳフィルタ２２およびカテーテル１１０の本体とが配置される制御側または端部との間の接続を提供する。
【００４４】
図１１の例示的な実施形態では、機械的支持１０８は中空であり、ワイヤガイド、トランスデューサケーブル、トルクケーブル、流体管腔、などを受けることができるように構成され、配置されている。代替的に、機械的な支持は、固体部材であってもよい。文字Ａで示されるアプリケーション側または端部は、トランスデューサ１０２の１つの（１）端に隣接する先端１０６を含む。
【００４５】
図１１、１２および１３に示すように、いくつかの設計オプションが、トランスデューサの先端１０６に利用できる。図１１に関連する１つの（１）のオプションは、迅速交換管腔１１２を用いてトランスデューサの先端部１０６を構成することである。図１２に関連する別のオプションは、ワイヤガイド１１４の１つの（１）端部がトランスデューサの先端１１６のアプリケーション側または端部の受開口部１１８に永久的に埋め込まれるように、ワイヤガイド１１４とトランスデューサの先端１１６とを構成することである。図１３に関連する別のオプションは、ワイヤガイド（１０４、１１４）を除去し、代わりに先端１２０のアプリケーション側または端部を実質的に半球形状に丸くして形成することである。先端または面におけるこの実質的な半球形状は、対応する搬送装置が所望の位置に移動される際に血管の穿刺または引き裂きのリスクを低減する。
【００４６】
本発明は、図面および前述の説明において詳細に図示および説明してきたが、同じことが例示的であり文字において限定的ではないと考えられるべきであり、好ましい実施形態のみが示され説明され、以下の特許請求の範囲によって定義される本発明の精神内にあるすべて変更、均等物、および修正が保護されることが望まれると理解される。本明細書で引用したすべての刊行物、特許、および特許出願は、各個々の刊行物、特許、または特許出願が具体的かつ個々に参照により組み込まれその全体が本明細書に記載されると示されるように、参照により本明細書に組み込まれる。
【図１】
0006523964.tif 000002
【図２】
0006523964.tif 000003
【図２Ａ】
0006523964.tif 000004
【図３】
0006523964.tif 000005
【図３Ａ】
0006523964.tif 000006
【図４】
0006523964.tif 000007
【図４Ａ】
0006523964.tif 000008
【図５】
0006523964.tif 000009
【図５Ａ】
0006523964.tif 000010
【図６】
0006523964.tif 000011
【図７】
0006523964.tif 000012
【図８】
0006523964.tif 000013
【図９】
0006523964.tif 000014
【図１０】
0006523964.tif 000015
【図１１】
0006523964.tif 000016
【図１２】
0006523964.tif 000017
【図１３】
0006523964.tif 000018